(57)【要約】【課題】ＭＬＡ駆動方式に特有なＣＯＭ筋及びバイアス集中を解消し、表示品質を向上させる。【解決手段】直交関数を用いて単純マトリクス液晶の１ブロックをなす複数行を同時に駆動する単純マトリクス液晶のマルチラインアドレッシング駆動方法において、同時選択される行電極の１つの行電極の選択期間を複数に分割した分割選択期間のそれぞれに、前記同時選択される行電極の選択パターンに用いられる１つの直交関数の行ベクトルをローテーションして得られる複数の選択等価直交関数の循環した列ベクトルを割り当て、前記１つのブロックについては、前記選択等価直交関数の総ての列ベクトルを時系列で一巡させる。【選択図】図２
2004294968.tif 000002
【特許請求の範囲】
【請求項１】
直交関数を用いて単純マトリクス液晶の１ブロックをなす複数行を同時に駆動する単純マトリクス液晶のマルチラインアドレッシング駆動方法であって、
同時選択される行電極の１つの行電極の選択期間を複数に分割した分割選択期間のそれぞれに、前記同時選択される行電極の選択パターンに用いられる１つの直交関数の行ベクトルをローテーションして得られる複数の選択等価直交関数の循環した列ベクトルを割り当て、
前記１つのブロックについては、前記選択等価直交関数の総ての列ベクトルを時系列で一巡させることを特徴とする単純マトリクス液晶のマルチラインアドレッシング駆動方法。
【請求項２】
直交関数を用いて単純マトリクス液晶の１ブロックをなす複数行を同時に駆動する単純マトリクス液晶のマルチラインアドレッシング駆動方法であって、
前記直交関数の列ベクトルを、同時選択される行電極の１つの行電極の選択期間を複数に分割した分割選択期間ごとにスキャンして選択し、
前記列ベクトルを前記分割選択期間に応じてビットローテーションすることを特徴とする単純マトリクス液晶のマルチラインアドレッシング駆動方法。
【請求項３】
前記分割選択期間の数を、前記直交関数の列ベクトルの数より少なくすることを特徴とする請求項１または２に記載の単純マトリクス液晶のマルチラインアドレッシング駆動方法。
【請求項４】
前記複数の選択等価直交関数の数を、前記分割選択期間の数と同数以下にすることを特徴とする請求項１または３に記載の単純マトリクス液晶のマルチラインアドレッシング駆動方法。
【請求項５】
請求項１〜４のいずれかに記載の駆動方法によって液晶を駆動することを特徴とする単純マトリクス液晶のマルチラインアドレッシング駆動装置。
【請求項６】
請求項１〜４のいずれかに記載の駆動方法によって駆動されることを特徴とする液晶パネル。
【発明の詳細な説明】
【０００１】
【発明の属する技術分野】
本発明は、単純マトリクス液晶のマルチラインアドレッシング駆動方法及び装置に関する。
【０００２】
【従来の技術】
従来から、ワードプロセッサやパーソナルコンピュータの表示装置として、液晶ディスプレイ（ＬＣＤ）が用いられている。このＬＣＤは、小型化が容易であり、薄く、軽量である等の利点により、例えば携帯電話のディスプレイ等として、近年ますますその使用頻度が増大している。
【０００３】
ＬＣＤとして、いわゆるツイステッドネマチックタイプ（ＴＮ型）及びスーパーツイステッドネマチックタイプ（ＳＴＮ型）の液晶表示素子を、薄膜フィルムトランジスタを用いずに駆動する単純マトリクスタイプのものがある。このＬＣＤの駆動方式として、従来の線順次走査方式に対して、複数の走査線を同時に選択駆動する複数ライン同時駆動方式であるマルチラインアドレッシング駆動方式（ＭＬＡ駆動方式）が提案されている。
【０００４】
しかし、ＭＬＡ駆動方式においては、液晶に印加される実効電圧が同じであっても走査電極線にかかる波形パターンによって横方向の縞模様のムラ（輝度ムラ）が発生する。この横方向の輝度ムラは、行電極（ＣＯＭＭＯＮ電極）方向に生じる筋であるため、ＣＯＭ筋と呼ばれることもある。
また、例えば表示パターンが全点灯あるいは全消灯の場合、非選択期間のバイアス電圧は同時選択したラインが総て同一極性の電圧パルスで走査する期間に集中して加わることとなり、このため光学応答に差が生じ、輝度が変化し、ムラに見えるというバイアス集中が発生することがある。
【０００５】
従来、このようなバイアス集中やＣＯＭ筋等の問題を解消する方法として、液晶を駆動する信号波形をずらす（横ずらし及び縦ずらし）方法が提案されている（例えば、特許文献１参照）。
ここで、上記特許文献１に記載されている横ずらしとは、複数ライン選択法において、画面の上から走査電極を複数本ずつ同時に選択し下に向かって走査し、そのとき複数本同時に選択した時の走査電極に与える走査信号波形の位相を、直前に選択された信号波形の位相からずらす事によって、全ＯＮ・ＯＦＦを表示した時に非選択期間に液晶にかかるバイアス電圧が、１／２サイクル中の１回フレーム走査期間内に集中しないで分散するようにしてバイアス集中を解消しようというものである。
また、同様に縦ずらしとは、複数本同時に選択した時の走査電極に与える走査信号波形を、直前の１サイクルと次の１サイクルとで用いる、同時に選択した各ラインの波形パターンを入れ換える事により、各ラインの周波数を均一にして、同時に選択した本数の幅で出る横縞模様のムラ（ＣＯＭ筋）を解消しようというものである。
【０００６】
図１３に、横ずらし駆動波形の一例を示す。図１３は、４本同時選択した場合において、走査信号の電圧波形をＷａｌｓｈ関数に基づいて設定し、４本１組で同時選択する毎に１位相ずらす様にしたものである。図１３において、Ｆｉ  （ｔ）は、走査信号波形を表しており、４本ずつ選択し、マトリクスパネルの上から下へ組順次で走査して行く。まず１回目の走査では、Ｆ１  、Ｆ２  、Ｆ３  、Ｆ４  をそれぞれ＋Ｖｒ  、＋Ｖｒ  、＋Ｖｒ  、＋Ｖｒ  にセットする。次のＦ５  、Ｆ６  、Ｆ７  、Ｆ８  では１位相ずらした＋Ｖｒ  、＋Ｖｒ  、−Ｖｒ  、−Ｖｒ  をセットする。同様に、Ｆ９  以降は順次１位相ずつずらした走査信号を走査電極に印加する。一方、信号電極には、積和演算によって算出されたＧ１  （ｔ）、Ｇ２  （ｔ）、Ｇ３  （ｔ）のデータ信号を印加する。このようにして、１回目のフレーム走査期間に集中していた信号電極に加わる電圧が４回選択される毎に１回発生するようにし、１／２サイクル全体に渡って均等に分散し、表示パターンによるコントラストの差をなくし、輝度ムラを抑制しようというものである。
【０００７】
また、図１４に、縦ずらし駆動波形の一例を示す。図１４に示すように、まず第１サイクルの前半では、Ｆ１  、Ｆ２  、Ｆ３  、Ｆ４  は、Ｗａｌｓｈ関数を使って設定される。第１サイクルの後半では、単に極性反転が行われるだけである。次に第２サイクルでは配列パターンの縦ずらしが行われる。すなわち、Ｗ１  、Ｗ２  、Ｗ３  、Ｗ４  の組み合わせパターンが、Ｗ４  、Ｗ１  、Ｗ２  、Ｗ３  となっている。このように、図１４に示すように、Ｆ１  、Ｆ２  、Ｆ３  、Ｆ４  のいずれについても、各サイクルを通して見ると異なった周波数成分が混在するようにし、フレーム応答を均一化して、ＣＯＭ筋を解消しようというものである。
【０００８】
【特許文献１】
特開平０７−０７２４５４号公報
【０００９】
【発明が解決しようとする課題】
しかしながら、前記従来の横ずらし、縦ずらしによるバイアス集中及びＣＯＭ筋解消法では、依然として輝度ムラや横方向の筋ムラが見えてしまうという問題があった。
すなわち、１ブロックを同時選択する毎に列ベクトルを更新しても、周期的にバイアス集中したブロックがあり、そのブロックが１走査（フィールド）毎にずれることになる。動作周波数が充分高い場合には、目立たないが、低い場合には、表示サイクル（４フィールド）の周期で、明るいブロックが流れる（走査する）ように見えてしまうという問題がある。
また、表示サイクル毎に行ベクトルをローテーションしても、１表示サイクルの間は、ＣＯＭ筋があり、動作周波数が充分高い場合には、目立たないが、少し低い場合には、表示サイクル毎に行ベクトルをローテーションするＣＯＭ筋が見えてしまうという問題がある。
【００１０】
本発明は、前記従来の問題に鑑みてなされたものであり、直交関数を用いて単純マトリクス液晶の複数行（ブロック）を同時駆動するマルチラインアドレッシング（ＭＬＡ）駆動方式において、ＭＬＡ駆動方式に特有なＣＯＭ筋及びバイアス集中を解消し、表示品質を向上させることのできる単純マトリクス液晶のマルチラインアドレッシング駆動方法及び装置を提供することを課題とする。
【００１１】
【課題を解決するための手段】
前記課題を解決するために、本発明の第１の態様は、直交関数を用いて単純マトリクス液晶の１ブロックをなす複数行を同時に駆動する単純マトリクス液晶のマルチラインアドレッシング駆動方法であって、同時選択される行電極の１つの行電極の選択期間を複数に分割した分割選択期間のそれぞれに、前記同時選択される行電極の選択パターンに用いられる１つの直交関数の行ベクトルをローテーションして得られる複数の選択等価直交関数の循環した列ベクトルを割り当て、前記１つのブロックについては、前記選択等価直交関数の総ての列ベクトルを時系列で一巡させることを特徴とする単純マトリクス液晶のマルチラインアドレッシング駆動方法を提供する。
【００１２】
また同様に、前記課題を解決するために、本発明の第２の態様は、直交関数を用いて単純マトリクス液晶の１ブロックをなす複数行を同時に駆動する単純マトリクス液晶のマルチラインアドレッシング駆動方法であって、前記直交関数の列ベクトルを、同時選択される行電極の１つの行電極の選択期間を複数に分割した分割選択期間ごとにスキャンして選択し、前記列ベクトルを前記分割選択期間に応じてビットローテーションすることを特徴とする単純マトリクス液晶のマルチラインアドレッシング駆動方法を提供する。
【００１３】
また、前記分割選択期間の数を、前記直交関数の列ベクトルの数より少なくすることが好ましい。
【００１４】
また、前記複数の選択等価直交関数の数を、前記分割選択期間の数と同数以下にすることが好ましい。
【００１５】
また同様に、前記課題を解決するために、本発明の第３の態様は、前記本発明の第１の態様または第２の態様による駆動方法によって液晶を駆動することを特徴とする単純マトリクス液晶のマルチラインアドレッシング駆動装置及び前記本発明の第１の態様または第２の態様による駆動方法によって駆動されることを特徴とする液晶パネルを提供する。
【００１６】
【発明の実施の形態】
以下、本発明の単純マトリクス液晶のマルチラインアドレッシング駆動方法及び装置について、添付の図面に示される好適実施形態を基に詳細に説明する。
本発明は、直交関数を用いて単純マトリクス液晶の複数行（ブロック）を同時に駆動するマルチラインアドレッシング（ＭＬＡ）駆動方式において、１つの行電極の選択期間を複数に分割した分割選択期間に、１つの直交関数の行ベクトルをローテーションして得られる複数の直交関数（選択等価直交関数）の循環した列ベクトルを割り当て、１つのブロックについては、少ない分割選択期間の数で選択等価直交関数の総ての列ベクトルを時系列で一巡させることによって、ＭＬＡ駆動方式に特有なＣＯＭ筋及びバイアス集中を解消し、表示品質を向上させるようにしたものである。
【００１７】
図１は、本発明に係る単純マトリクス液晶のマルチラインアドレッシング駆動方法を実行するための液晶駆動装置（ＬＣＤドライバ）の一実施形態の回路構成を示すブロック図である。本実施形態に係るＬＣＤドライバは、複数の行電極を同時に選択して駆動するものである。
図１に示すように、本実施形態に係るＬＣＤドライバ１０は、ＬＣＤパネル（ＬＣＤ）１２の行電極のうち複数行（コモン）を同時に選択し、所定の列電極電圧でドライブするＭＬＡ駆動方式のもので、行電極ドライバ１４、列電極ドライバ１６及び表示データＲＡＭ（表示データメモリ）１８を備えている。
【００１８】
また、スクランブラ２０、ＥＸＯＲゲート２２、アダー（加算器）２４、ラッチ＆デコーダ２６を備えている。スクランブラ２０は、階調表示のために、階調セレクタ（図示省略）から階調データを受け取る。
また、同時選択する行電極の選択パターンを与える直交関数の行ベクトルのローテーションを行うために、直交関数ＲＯＭ２８及びＲＯＴレジスタ３０が設けられている。直交関数ＲＯＭ２８は、直交関数の列ベクトルの初期値を格納している。ＲＯＴレジスタ３０は、この列ベクトルの初期値のビットをローテーションしてＥＸＯＲゲート２２及び行電極ドライバ１４に送る。このローテーションによって、所望の行電極選択パターンが達成される。
【００１９】
また、表示データＲＡＭ１８には、ＲＡＭデコーダ３２が設けられており、これら各構成要素を制御するためのコントローラ３４が設置されている。
なお、図１では、ＲＧＢの各色を時分割で処理する例のため、スクランブラ２０、ＥＸＯＲ２２、アダー２４、ラッチ＆デコーダ２６は、それぞれ１つしか表示していないが、各列（セグメント）に、これらをＲＧＢの各色ごとに備えるようにしてもよい。
【００２０】
表示データＲＡＭ１８からは、同時にドライブされるＬＣＤ１２の複数行分のカラーデータ（Ｒ、Ｇ、Ｂのいずれか）が同時にスクランブラ２０に出力される。スクランブラ２０は、入力された階調データに対応したオン／オフ信号を、それぞれ出力する。スクランブラ２０から出力されたオン／オフ信号は、ＥＸＯＲゲート２２により、ＲＯＴレジスタ３０から受け取った各々対応する行電極選択パターンとの排他的論理和がとられ、アダー２４により加算される。
加算結果は、ラッチ＆デコーダ２６により、加算結果に対応した電圧レベルが選択され、列電極ドライバ１６に出力される。そして行電極ドライバ１４及び列電極ドライバ１６により、ＬＣＤ１２が駆動される。
【００２１】
このように、本実施形態では、ＭＬＡ駆動方式が用いられる。これは、フレームレスポンス現象を回避するためには、単位時間の選択回数が多くなるＭＬＡ駆動方式が必須だからである。さらに、選択行数が多い程、選択回数が多くなるため、７行を同時に駆動するＦＬＡ７（Ｆｏｕｒ  Ｌｅｖｅｌ  Ａｄｄｒｅｓｓｉｎｇ  ７）駆動方式が好ましい。７行同時駆動のＭＬＡ駆動方式では、通常列（カラム）電極電圧レベルの種類は８値となるが、ＦＬＡ７駆動方式では、４値であるため、列電極電圧が変化する周波数が約１／２になるという効果をも有している。ＦＬＡ７駆動方式は、特に携帯電話用ＬＣＤモジュールへの市場要求でもある多色、高画質、動画対応、低消費電力化、低価格、左右対称、３辺フリー、１チップ化等を実現する非常に有効な技術である。
【００２２】
次に本発明の実施形態の第１の態様として、４×４直交行列のベクトルローテーションを用いた４行同時駆動方式の一例を説明する。
図２（Ａ）に、直交関数を表す４×４の直交行列の例を示す。この行列Ａは、正規直交行列である。すなわち、行列Ａは、自分自身の転置行列Ａｔ  との積が単位行列の整数倍（スカラー行列）となるものである。行列Ａの場合、ＡＡｔ  ＝４Ｉ（ただし、Ｉは４次の単位行列である。）となる。
行列Ａの第１行目をＡＣ１  ＝（１，１，１，−１）とし、以下第２行目以降を同様に、ＡＣ２  ＝（１，−１，−１，−１）、ＡＣ３  ＝（１，−１，１，１）、ＡＣ４  ＝（−１，−１，１，−１）とする。
【００２３】
また、図２（Ｂ）に、行列Ａの行を１行シフト（ローテーション）した行列Ｂを示す。すなわち、行列Ｂは、行列Ａの第２行ＡＣ２  を第１行ＢＣ１  とし、行列Ａの第３行ＡＣ３  を第２行ＢＣ２  とし、行列Ａの第４行ＡＣ４  を第３行ＢＣ３  とし、行列Ａの第１行ＡＣ１  を第４行ＢＣ４  としたものである。
なお、直交行列において、その行を置換したりローテーションしても、行ベクトルの直交性は変わらない。
なお、それぞれ直交行列Ａ及びＢによって表される直交関数も同じ記号Ａ、Ｂで表すこととする。
【００２４】
また、図２（Ｃ）に、４行同時駆動方式を示す。本実施態様では、行電極を１２本とし、３ブロック（ＢＬＫ１  〜ＢＬＫ３  ）を駆動するものとする。
図２（Ｃ）に示すように、１表示サイクル（１フレーム）は、４フィールドで完結する。また、それぞれの行選択期間（行選択期間１、２、３）を２分割し、分割選択期間１及び分割選択期間２とする。
【００２５】
図２（Ｃ）に示すように、まず第１フィールドにおいて、行選択期間１の分割選択期間１では、直交行列Ａによって表される直交関数Ａの列ベクトルＡＲ１  を適用し、分割選択期間２では、直交関数Ｂの列ベクトルＢＲ２  を適用する。
また、行選択期間２の分割選択期間１では、直交関数Ａの列ベクトルＡＲ３  を適用し、分割選択期間２では、直交関数Ｂの列ベクトルＢＲ４  を適用する。
また同様に、行選択期間３では、分割選択期間１、２にそれぞれ直交関数Ａの列ベクトルＡＲ１  、直交関数Ｂの列ベクトルＢＲ２  を適用する。
【００２６】
次に、第２フィールドにおいては、行選択期間１の分割選択期間１、２には、それぞれ直交関数Ａの列ベクトルＡＲ３  、直交関数Ｂの列ベクトルＢＲ４  を適用する。同様に、行選択期間２の分割選択期間１、２には、それぞれ直交関数Ａの列ベクトルＡＲ１  、直交関数Ｂの列ベクトルＢＲ２  を適用し、行選択期間３の分割選択期間１、２には、それぞれ直交関数Ａの列ベクトルＡＲ３  、直交関数Ｂの列ベクトルＢＲ４  を適用する。
【００２７】
また、第３フィールドにおいては、行選択期間１の分割選択期間１、２には、それぞれ直交関数Ｂの列ベクトルＢＲ１  、直交関数Ａの列ベクトルＡＲ２  を適用し、同様に、行選択期間２の分割選択期間１、２には、それぞれ直交関数Ｂの列ベクトルＢＲ３  、直交関数Ａの列ベクトルＡＲ４  を適用し、行選択期間３の分割選択期間１、２には、それぞれ直交関数Ｂの列ベクトルＢＲ１  、直交関数Ａの列ベクトルＡＲ２  を適用する。
【００２８】
また、第４フィールドにおいては、行選択期間１の分割選択期間１、２には、それぞれ直交関数Ｂの列ベクトルＢＲ３  、直交関数Ａの列ベクトルＡＲ４  を適用し、行選択期間２の分割選択期間１、２には、それぞれ直交関数Ｂの列ベクトルＢＲ１  、直交関数Ａの列ベクトルＡＲ２  を適用し、行選択期間３の分割選択期間１、２には、それぞれ直交関数Ｂの列ベクトルＢＲ３  、直交関数Ａの列ベクトルＡＲ４  を適用する。
【００２９】
以上のように設定することにより、最初のブロック（ＢＬＫ１  ：行１〜４）に着目すると、列ベクトルが循環（ＡＲ１  、ＡＲ２  、ＡＲ３  、ＡＲ４  （ＢＲｉ  についても同様））しており、直交関数Ａおよび直交関数Ｂの総ての列ベクトルが一回ずつ適用されることとなる。
なお、図３に、各列ベクトルの要素を具体的に表現したものを示す。
【００３０】
以下、本実施態様における４×４の直交関数による４行同時駆動について説明する。図４に本実施形態における行電極選択パターンとして直交関数Ａを用いた場合を示し、図５に同じく本実施形態における行電極選択パターンとして直交関数Ｂを用いた場合を示す。図４および図５は、行電極選択パターン（Ａ）として直交関数Ａを用いるか直交関数Ｂを用いるかが異なるのみであるので、以下では図４についてのみ説明するが、図５についても同様である。
図４は、行電極選択パターン（直交関数Ａ）（Ａ）、表示パターン（Ｂ）、積和演算結果（Ｃ）、列電極電圧パターン（Ｄ）および実効電圧に相当する値（Ｅ）を示す。行選択パターン（Ａ）（直交関数Ａ）の１は＋Ｖｒ  を、−１は−Ｖｒ  を意味する。表示パターン（Ｂ）は、４画素のデータで、１はオン画素、−１はオフ画素を表す。図４は、４行同時選択で取り得る全パターンの組み合わせを表すものであり、表示パターン（Ｂ）等は、全部で２４  ＝１６通りある。
【００３１】
図４（Ｃ）のＭＬＡ演算結果は、サイクルごとの列ベクトルと表示パターンを掛け算して加えたもので、「ＥＸＯＲ＆加算」に相当する。
すなわち、行電極選択パターンを表す直交関数（Ａ）の各列ベクトルを構成する行選択列ベクトルと、表示パターン（Ｂ）の各行ベクトルを構成する同一列電極の表示データ（ベクトル）とを、該当する成分ごとに乗算して積和演算結果（Ｃ）の表が得られる。
【００３２】
図４（Ｃ）に示すように、積和演算結果に現れる数値は、±４、±２、０であり、ここで、−４を２、−２を１、２を−１、４を−２に変換することにより列電極電圧パターン（Ｄ）の表が得られる。
また、実効電圧に相当する値（Ｅ）は、行電極選択パターン（直交関数Ａ）（Ａ）の値（−１および１）に応じて列電極電圧パターンをサイクルごとに加算することによって得られる。すなわち、実効電圧に相当する値は、行電極選択パターンが−１なら、列電極電圧パターンをそのまま加え、行電極選択パターンが１なら、列電極電圧パターンを極性反転して加えることによって得られる。結局、行電極選択パターン（Ａ）の各行と列電極電圧パターン（Ｄ）の各行の対応する要素の積和をとり、その符号を変えたものが実効電圧に相当する値となる。
【００３３】
表示パターン（Ｂ）と実効電圧に相当する値（Ｅ）とを比較すると、直交関数Ａを用いた図４においても、直交関数Ｂを用いた図５の場合においても、総てのオン画素は同じ実効電圧２、総てのオフ画素は同じ実効電圧−２となっている。これから、いずれの場合にも電圧平均化法が成立していることがわかる。
【００３４】
直交関数Ａまたは直交関数Ｂのみを用いる場合、４行のうちの特定行（ＡＣ１  あるいはＢＣ３  ）が明るく、または暗くなるのが輝度ムラであるいわゆる「ＣＯＭ筋」である。
列電極電圧パターンにおいて、２あるいは−２となる時にバイアス集中が発生し、動作周波数が低い場合には、周期的な輝度変化となる。従って、従来のような駆動方法では、表示画面の広い範囲が同一表示の場合にこの輝度変化が顕著になり輝度ユレのように見えてしまう。
【００３５】
これに対し、本実施形態においては、図４の直交関数Ａによる列電極電圧パターンと、図５に示す、直交関数Ａを１行ローテーションした直交関数Ｂの列電極電圧パターンを比較するとあきらかなように、同じ表示データでも列電極電圧パターンが変化している。従って本実施形態では、この２種類の直交関数Ａ、Ｂを１表示サイクル内でそれぞれ一巡させるため輝度ムラと輝度ユレは１表示サイクル内で時間的に平均化（相殺）されてしまうため、結果的にバイアス集中およびＣＯＭ筋が解消される。
【００３６】
以上説明したように、本実施形態は、行選択期間を２分割し、直交関数Ａおよび直交関数Ｂ（直交関数Ａを１行シフトしたもの）を一巡させ表示サイクルを完了するようにしたため、これにより行ベクトルローテーション、かつ列ベクトルローテーションが同時に実施されたことになり、表示ムラ、表示ユレの解消された高品質な画像表示が可能となる。
【００３７】
次に本発明の実施形態の第２の態様として、７行８列の直交関数のベクトルローテーションを用いた７行同時駆動方式（ＦＬＡ７駆動方式）の一例について説明する。
図６（Ａ）〜（Ｄ）に、本態様における直交関数を表す７×８の直交行列の例を示す。直交関数および直交行列はいずれも同じ符号Ａ〜Ｄで表すことにする。行列Ａ〜Ｄは、自分自身の転置行列との積が単位行列の整数倍となる、いわゆる正規直交行列である。また、各行列Ｂ〜Ｄは、それぞれ行列Ａの行ベクトルをローテーションしたものである。具体的には、行列Ｂは行列Ａを１行ローテーションしたものであり、行列Ｃは行列Ａを２行ローテーションしたものであり、行列Ｄは行列Ａを３行ローテーションしたものである。
【００３８】
７行同時駆動の場合も、その考え方は基本的には前記第１の態様の４行同時駆動の場合と同様である。ここでは、直交関数Ａの行ベクトルローテーションにより作成した合計４種類の直交関数Ａ、Ｂ、Ｃ、Ｄを適用し、行選択期間は４分割した場合を例にとって説明する。１表示サイクル（１フレーム）は、８フィールドで完結する。
【００３９】
図７、８に本態様における７行同時駆動方式の概要を示す。図７に、１表示サイクルの第１フィールドから第４フィールドまでを示し、図８に、同じ表示サイクルの第５フィールドから第８フィールドまでを示す。
図７に示すように、第１フィールドでは、行選択期間１を分割した分割選択期間１、２、３、４に対し、それぞれ直交関数Ａの第１列ベクトルＡＲ１  、直交関数Ｂの第２列ベクトルＢＲ２  、直交関数Ｃの第３列ベクトルＣＲ３  、直交関数Ｄの第４列ベクトルＤＲ４  を適用する。
【００４０】
以下同様にして、図７および図８に示すように、第２フィールドから第８フィールドまでの各分割選択期間１〜４に対して、各直交関数の列ベクトルＡＲ１  〜ＡＲ８  、ＢＲ１  〜ＢＲ８  、ＣＲ１  〜ＣＲ８  、ＤＲ１  〜ＤＲ８  のいずれかの列ベクトルを対応させ、直交関数の列ベクトルを一巡させる。
【００４１】
図９〜図１２に、７行同時駆動の具体的な駆動例を示す。図９は、図６の直交関数Ａを適用した場合であり、図１０は、直交関数Ｂを適用した場合であり、図１１は、直交関数Ｃを適用した場合であり、図１２は、直交関数Ｄを適用した場合である。
各図９〜１２において、列電極電圧パターン（Ｄ）は、ＭＬＡ演算結果の８値（±１、±３、±５、±７）を、−７及び−５を３、−３及び−１を１、１及び３を−１、５及び７を−３に変換して４値化（±１、±３）したものである。
【００４２】
詳しい説明は、前述した４行同時駆動の場合と同様であるため、省略する。
この場合にも、各図９〜１２の実効値に相当する値（Ｅ）と表示パターン（Ｂ）とを比較すると、総てのオン画素は同じ実効値４、総てのオフ画素は同じ実効値−４となっており、やはり、いずれの場合にも電圧平均化法が成立していることがわかる。さらに、列電極電圧パターンが変化している。
この４種を１表示サイクルで一巡させることにより、ＣＯＭ筋を改善する。
【００４３】
表示データが「全て１」及び「全て０（図中では、”−１”と表記）」の列電極電圧パターンに着目すると、直交関数Ａ、Ｂ、Ｃ、Ｄのいずれにおいても、６番目の列ベクトルの時に３及び−３になり、このままではバイアス集中が発生する。
しかし、上に説明したように、本発明においては、１つの行選択期間に複数の異なる列ベクトルを適用するため、バイアス集中が時間的に平均化され、低い動作周波数においても輝度ユレが目立たない。
【００４４】
以上、ＭＬＡ駆動方式の一例として、４行同時駆動方式および７行同時駆動方式について説明したが、本発明の方式は、上記２つの方式に限定されるものではなく、ＭＬＡ駆動方式全般について適用することが可能である。
また、列ベクトル（ＡＲ、ＢＲ、ＣＲ、ＤＲ）の与え方についても、上で説明したものに限定されるわけではなく、任意に与えるようにして構わない。表示画像を観察して、最も適当と思われる与え方をすればよい。
また、行選択期間の分割数についても任意であり、これもまた適当なものを選べばよい。さらに、直交関数については、直交関数Ａを基にした行ローテーションにより、数種の直交関数を作成することが可能である。この直交関数の作成方法も、どの型の直交関数を適用するか任意でよい。
【００４５】
以上説明したように、本実施形態によれば、ＭＬＡ駆動方式に特有なバイアス集中及びＣＯＭ筋を解消し、表示画像の品質を著しく向上させることができる。
また、静止画ないし低速動画の表示において、動作周波数を低くしても表示品質の劣化は少ないので、低消費電力化を図ることができる。
また、１つの直交関数の列ベクトルを分割選択期間ごとにスキャンして選択し、その列ベクトルを分割選択期間に応じてビットローテーションするだけなので実現回路が極めて小さい。
【００４６】
また、行選択期間の分割数を列ベクトルの数より少なくすることによって、列電極の駆動周波数が低くなり、表示品質を向上させることができる。
さらに、選択等価直交関数の数を行選択期間の分割数と同数以下にすることによって表示サイクルを短くし、動作周波数を低くして低消費電力化を図ることができる。
【００４７】
以上、本発明の単純マトリクス液晶のマルチラインアドレッシング駆動方法及び装置について、詳細に説明したが、本発明は、以上の実施形態に限定されるものではなく、本発明の要旨を逸脱しない範囲において、各種の改良や変更を行ってもよいのはもちろんである。
【００４８】
【発明の効果】
以上、説明した通り、本発明によれば、ＭＬＡ駆動方式に特有なバイアス集中および横方向の輝度ムラであるＣＯＭ筋を解消し、表示品質を向上させることが可能となるとともに、低消費電力化および回路の小規模化を図ることが可能となる。
【図面の簡単な説明】
【図１】本発明に係る単純マトリクス液晶のマルチラインアドレッシング駆動方法を実行するための液晶駆動装置の一実施形態の回路構成を示すブロック図である。
【図２】（Ａ）、（Ｂ）は、本発明の実施形態の第１の態様における、４×４の直交関数の例を、（Ｃ）は４行同時駆動方式の表示サイクルの例を示す説明図である。
【図３】図２（Ｃ）をより具体的に示す説明図である。
【図４】行電極選択パターンとして直交関数Ａを用いた４行同時駆動の場合の行電極選択パターン（Ａ）、表示パターン（Ｂ）、ＭＬＡ演算結果（Ｃ）、列電極電圧パターン（Ｄ）、実効値に相当する値（Ｅ）を示す説明図である。
【図５】行電極選択パターンとして直交関数Ｂを用いた４行同時駆動の場合の行電極選択パターン（Ａ）、表示パターン（Ｂ）、ＭＬＡ演算結果（Ｃ）、列電極電圧パターン（Ｄ）、実効値に相当する値（Ｅ）を示す説明図である。
【図６】（Ａ）〜（Ｄ）は、本発明の実施形態の第２の態様で用いる７×８の直交関数の列を示す説明図である。
【図７】本発明の実施形態の第２の態様における７行同時駆動方式の表示サイクル例の前半部分を示す説明図である。
【図８】同じく、本発明の実施形態の第２の態様における７行同時駆動方式の表示サイクル例の後半部分を示す説明図である。
【図９】行電極選択パターンとして直交関数Ａを用いた７行同時駆動の場合の行電極選択パターン（Ａ）、表示パターン（Ｂ）、ＭＬＡ演算結果（Ｃ）、列電極電圧パターン（Ｄ）、実効値に相当する値（Ｅ）を示す説明図である。
【図１０】行電極選択パターンとして直交関数Ｂを用いた７行同時駆動の場合の図９と同様の説明図である。
【図１１】行電極選択パターンとして直交関数Ｃを用いた７行同時駆動の場合の図９と同様の説明図である。
【図１２】行電極選択パターンとして直交関数Ｄを用いた７行同時駆動の場合の図９と同様の説明図である。
【図１３】従来の横ずらし方式に基づく複数ライン同時駆動を示すグラフである。
【図１４】従来の縦ずらし方式に基づく複数ライン同時駆動を示すグラフである。
【符号の説明】
１０  液晶駆動装置（ＬＣＤドライバ）
１２  ＬＣＤパネル
１４  行電極ドライバ
１６  列電極ドライバ
１８  表示データＲＡＭ
２０  スクランブラ
２２  ＥＸＯＲゲート
２４  アダー
２６  ラッチ＆デコーダ
２８  直交関数ＲＯＭ
３０  ＲＯＴレジスタ
３２  ＲＡＭデコーダ
３４  コントローラ
【図１】
2004294968.tif 000003
【図２】
2004294968.tif 000004
【図３】
2004294968.tif 000005
【図４】
2004294968.tif 000006
【図５】
2004294968.tif 000007
【図６】
2004294968.tif 000008
【図７】
2004294968.tif 000009
【図８】
2004294968.tif 000010
【図９】
2004294968.tif 000011
【図１０】
2004294968.tif 000012
【図１１】
2004294968.tif 000013
【図１２】
2004294968.tif 000014
【図１３】
2004294968.tif 000015
【図１４】
2004294968.tif 000016